(57)【要約】【課題】販売商品の収納容量を減少させることなく、棚板の傾斜角度を大きく確保すること。【解決手段】ショーケースの棚板１２は、前端部が支持軸１１７を介して支持部材１１に支持され、支持軸１１７を中心に後端縁部が支持部材１１に対して上下に移動可能に配設されており、支持部材１１と棚板１２との間には、支持部材１１に対して上下に移動可能に配設し、支持部材１１から上方に突出した位置に維持される第１傾斜支持部材１３と、第１傾斜支持部材１３に対して上下に移動可能に配設し、第１傾斜支持部材１３から上方に突出した位置に維持される第２傾斜支持部材１４とが介在されている。【選択図】図１６
2018093988.tif 000002
【特許請求の範囲】
【請求項１】
前面に開口を有したケース本体の内部に前方に向けて支持部材を配設し、前記支持部材の上部に棚板を支持させることによって商品載置棚を構成したショーケースにおいて、
前記棚板は、前端部が支持軸を介して前記支持部材に支持され、前記支持軸を中心に後端縁部が前記支持部材に対して上下に移動可能に配設されており、
前記支持部材と前記棚板との間には、
前記支持部材に対して上下に移動可能に配設し、前記支持部材から上方に突出した位置に維持される第１傾斜支持部材と、
前記第１傾斜支持部材に対して上下に移動可能に配設し、前記第１傾斜支持部材から上方に突出した位置に維持される第２傾斜支持部材と
が介在されていることを特徴とするショーケース。
【請求項２】
前記第１傾斜支持部材は、前端部が第１傾斜軸を介して前記支持部材に回転可能に支持され、
前記第１傾斜支持部材及び前記支持部材の間には、前記第１傾斜支持部材を上方に突出させた場合に前記支持部材に係合することによって前記第１傾斜支持部材を突出した状態を維持する第１係止手段が設けられており、
前記第２傾斜支持部材は、前端部が第２傾斜軸を介して前記第１傾斜支持部材に回転可能に支持され、
前記第１傾斜支持部材及び前記第２傾斜支持部材の間には、前記第２傾斜支持部材を上方に突出させた場合に前記第１傾斜支持部材に係合することによって前記第２傾斜支持部材を突出した状態を維持する第２係止手段が設けられていることを特徴とする請求項１に記載のショーケース。
【請求項３】
前記支持部材及び前記第１傾斜支持部材は、それぞれ上下方向に沿って延在する側板部を備えて構成されており、
前記第１係止手段は、前記支持部材の側板部及び前記第１傾斜支持部材の側板部のいずれか一方に形成した第１突起と、いずれか他方に形成した第１ガイド溝とを有し、前記第１突起を前記第１ガイド溝の係止面に係止させることによって前記第１傾斜支持部材を突出した状態に維持することを特徴とする請求項２に記載のショーケース。
【請求項４】
前記第１傾斜支持部材及び前記第２傾斜支持部材は、それぞれ上下方向に沿って延在する側板部を備えて構成されており、
前記第２係止手段は、前記第１傾斜支持部材の側板部及び前記第２傾斜支持部材の側板部のいずれか一方に形成した第２突起と、いずれか他方に形成した第２ガイド溝とを有し、前記第２突起を前記第２ガイド溝の係止面に係止させることによって前記第２傾斜支持部材を突出した状態に維持することを特徴とする請求項２に記載のショーケース。
【請求項５】
前記支持部材は、平板状を成す底壁部と、前記底壁部の両側縁部からそれぞれ上方に向けて延在し、個々の基端部に係止片を有した側壁部とが一体に成形された支持部本体を備え、前記側壁部の係止片を介して前記ケース本体に着脱可能に支持されていることを特徴とする請求項１に記載のショーケース。
【請求項６】
前記支持部材は、前記側壁部のいずれか一方に平行、かつ対向して設けた補助側壁部材を備えており、前記補助側壁部材を前記支持部材の側板部として前記第１傾斜支持部材が支持されていることを特徴とする請求項５に記載のショーケース。
【請求項７】
前記支持部材は、前記支持部本体の前端からの突出寸法が変化するように前記支持部本体の長手方向に沿って移動可能に配設したスライダを備え、
前記スライダの前端部に前記棚板の前端部が回転可能に支持されていることを特徴とする請求項５に記載のショーケース。
【請求項８】
前記支持部材と前記スライダとの間には、前記支持部材に係合した場合に前記スライダの移動を規制する一方、前記支持部材との係合状態を解除した場合に前記スライダの移動を許容するストッパ部材が設けられていることを特徴とする請求項７に記載のショーケース。
【発明の詳細な説明】
【技術分野】
【０００１】
本発明は、ケース本体の内部に商品を載置するための商品載置棚を備えたショーケースに関するもので、特に、商品が載置される棚板の前端縁が低くなるように傾斜して配置することのできる商品載置棚を備えたショーケースの改良に関するものである。
【背景技術】
【０００２】
スーパーマーケットやコンビニエンスストア等の店舗では、販売商品を商品載置棚に載置させた状態でケース本体の内部に収納するようにしたショーケースが多く適用されている。商品載置棚は、例えば２つの支持部材の間に棚板を支持させることによって構成されたものである。この種のショーケースには、販売商品を見易くする目的で、あるいは商品載置棚の前方に載置された商品が取り出された場合に後方に載置された販売商品を前方に滑り出させる目的で、棚板の前端縁が低くなるように傾斜して配置することができるものも提供されている。すなわち、このショーケースでは、くさび形を成す傾斜支持部材が支持部材に対して上下に移動可能に配設されている。傾斜支持部材を突出させない状態では、棚板が支持部材に沿ってほぼ水平の状態となる。これに対して傾斜支持部材を支持部材よりも上方に突出させた場合には、棚板が傾斜支持部材に沿って傾斜し、前端縁が低くなった状態で支持部材に支持されることになる（例えば、特許文献１参照）。
【先行技術文献】
【特許文献】
【０００３】
【特許文献１】特開２００３−２４５１７０号公報
【発明の概要】
【発明が解決しようとする課題】
【０００４】
ところで、上述のショーケースにおいて棚板の傾斜角度を大きく確保するには、傾斜支持部材の上下方向に沿った高さ寸法を増大する必要がある。しかしながら、傾斜支持部材の寸法を増大させた場合には、棚板をほぼ水平の状態となるように配置した際に支持部材からの下方への突出寸法が大きくなる。この結果、下段の商品載置棚において支持部材の下方に位置する部分には、背の高い販売商品を載置することが困難になる等、販売商品の収納容量の点で不利となるおそれがある。
【０００５】
本発明は、上記実情に鑑みて、販売商品の収納容量を減少させることなく、棚板の傾斜角度を大きく確保することのできるショーケースを提供することを目的とする。
【課題を解決するための手段】
【０００６】
上記目的を達成するため、本発明に係るショーケースは、前面に開口を有したケース本体の内部に前方に向けて支持部材を配設し、前記支持部材の上部に棚板を支持させることによって商品載置棚を構成したショーケースにおいて、前記棚板は、前端部が支持軸を介して前記支持部材に支持され、前記支持軸を中心に後端縁部が前記支持部材に対して上下に移動可能に配設されており、前記支持部材と前記棚板との間には、前記支持部材に対して上下に移動可能に配設し、前記支持部材から上方に突出した位置に維持される第１傾斜支持部材と、前記第１傾斜支持部材に対して上下に移動可能に配設し、前記第１傾斜支持部材から上方に突出した位置に維持される第２傾斜支持部材とが介在されていることを特徴とする。
【０００７】
また本発明は、上述したショーケースにおいて、前記第１傾斜支持部材は、前端部が第１傾斜軸を介して前記支持部材に回転可能に支持され、前記第１傾斜支持部材及び前記支持部材の間には、前記第１傾斜支持部材を上方に突出させた場合に前記支持部材に係合することによって前記第１傾斜支持部材を突出した状態を維持する第１係止手段が設けられており、前記第２傾斜支持部材は、前端部が第２傾斜軸を介して前記第１傾斜支持部材に回転可能に支持され、前記第１傾斜支持部材及び前記第２傾斜支持部材の間には、前記第２傾斜支持部材を上方に突出させた場合に前記第１傾斜支持部材に係合することによって前記第２傾斜支持部材を突出した状態を維持する第２係止手段が設けられていることを特徴とする。
【０００８】
また本発明は、上述したショーケースにおいて、前記支持部材及び前記第１傾斜支持部材は、それぞれ上下方向に沿って延在する側板部を備えて構成されており、前記第１係止手段は、前記支持部材の側板部及び前記第１傾斜支持部材の側板部のいずれか一方に形成した第１突起と、いずれか他方に形成した第１ガイド溝とを有し、前記第１突起を前記第１ガイド溝の係止面に係止させることによって前記第１傾斜支持部材を突出した状態に維持することを特徴とする。
【０００９】
また本発明は、上述したショーケースにおいて、前記第１傾斜支持部材及び前記第２傾斜支持部材は、それぞれ上下方向に沿って延在する側板部を備えて構成されており、前記第２係止手段は、前記第１傾斜支持部材の側板部及び前記第２傾斜支持部材の側板部のいずれか一方に形成した第２突起と、いずれか他方に形成した第２ガイド溝とを有し、前記第２突起を前記第２ガイド溝の係止面に係止させることによって前記第２傾斜支持部材を突出した状態に維持することを特徴とする。
【００１０】
また本発明は、上述したショーケースにおいて、前記支持部材は、平板状を成す底壁部と、前記底壁部の両側縁部からそれぞれ上方に向けて延在し、個々の基端部に係止片を有した側壁部とが一体に成形された支持部本体を備え、前記側壁部の係止片を介して前記ケース本体に着脱可能に支持されていることを特徴とする。
【００１１】
また本発明は、上述したショーケースにおいて、前記支持部材は、前記側壁部のいずれか一方に平行、かつ対向して設けた補助側壁部材を備えており、前記補助側壁部材を前記支持部材の側板部として前記第１傾斜支持部材が支持されていることを特徴とする。
【００１２】
また本発明は、上述したショーケースにおいて、前記支持部材は、前記支持部本体の前端からの突出寸法が変化するように前記支持部本体の長手方向に沿って移動可能に配設したスライダを備え、前記スライダの前端部に前記棚板の前端部が回転可能に支持されていることを特徴とする。
【００１３】
また本発明は、上述したショーケースにおいて、前記支持部材と前記スライダとの間には、前記支持部材に係合した場合に前記スライダの移動を規制する一方、前記支持部材との係合状態を解除した場合に前記スライダの移動を許容するストッパ部材が設けられていることを特徴とする。
【発明の効果】
【００１４】
本発明によれば、支持部材と棚板との間に第１傾斜支持部材及び第２傾斜支持部材を介在させるようにしているため、棚板の傾斜角度を大きく確保した場合にも、それぞれの傾斜支持部材の上下方向に沿った高さ寸法を抑えることが可能となる。従って、棚板をほぼ水平の状態となるように配置した際にも支持部材からの下方への突出寸法が大きくなることがなく、下段の商品載置棚の収納容量に影響を与えることがなくなる。
【図面の簡単な説明】
【００１５】
【図１】図１は、本発明の実施の形態であるショーケースを概念的に示したもので、商品載置棚が水平状態にある場合の断面側面図である。
【図２】図２は、図１に示した水平状態にある商品載置棚の要部を示す一部破断斜視図である。
【図３】図３は、図１に示した水平状態にある商品載置棚の要部を示す一部破断正面図である。
【図４】図４は、図１に示した水平状態にある商品載置棚を示すもので、（ａ）は一部を省略して示す外側の側面図、（ｂ）は一部を省略して示す内側の側面図である。
【図５】図５は、図１に示したショーケースに適用する商品載置棚を前方から見た分解斜視図である。
【図６】図６は、図１に示したショーケースに適用する支持部材、第１傾斜支持部材及び第２傾斜支持部材を内側前方から見た分解斜視図である。
【図７】図７は、図１に示したショーケースに適用する支持部材、第１傾斜支持部材及び第２傾斜支持部材を外側前方から見た分解斜視図である。
【図８】図８は、図１に示したショーケースに適用する支持部材の支持部本体及び支柱部本体を支持する支柱部材を外側前方から見た分解斜視図である。
【図９】図９は、図１に示した状態から第１傾斜支持部材に対して第２傾斜支持部材が突出した状態に維持されたショーケースの断面側面図である。
【図１０】図１０は、図９に示した第２傾斜支持部材が突出状態にある商品載置棚の要部を示す一部破断斜視図である。
【図１１】図１１は、図９に示した第２傾斜支持部材が突出状態にある商品載置棚の要部を示す一部破断正面図である。
【図１２】図１２は、図９に示した第２傾斜支持部材が突出状態にある商品載置棚を示すもので、（ａ）は一部を省略して示す外側の側面図、（ｂ）は一部を省略して示す内側の側面図である。
【図１３】図１３は、図１０に示した状態から支持部材に対して第１傾斜支持部材が突出した状態に維持されたショーケースの断面側面図である。
【図１４】図１４は、図１３に示した第１傾斜支持部材が突出状態にある商品載置棚の要部を示す一部破断斜視図である。
【図１５】図１５は、図１３に示した第１傾斜支持部材が突出状態にある商品載置棚の要部を示す一部破断正面図である。
【図１６】図１６は、図１３に示した第１傾斜支持部材が突出状態にある商品載置棚を示すもので、（ａ）は一部を省略して示す外側の側面図、（ｂ）は一部を省略して示す内側の側面図である。
【発明を実施するための形態】
【００１６】
以下、添付図面を参照しながら本発明に係るショーケースの好適な実施の形態について詳細に説明する。
図１〜図４は、本発明の実施の形態であるショーケースを示したものである。ここで例示するショーケースは、スーパーマーケットやコンビニエンスストア等の店舗において販売商品を商品載置棚１０に載置させた状態でケース本体１の内部に収納するようにしたものである。本実施の形態では特に、要冷蔵商品を収納するための冷蔵用ショーケースを例示している。すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１７】
ケース本体１は、前面１ｂに開口を有した箱状を成すもので、収納室４に複数段の商品載置棚１０を備えている。商品載置棚１０は、左右２つの支持部材１１の間に棚板１２を支持させることによって構成したものである。なお、各段の商品載置棚１０は、同様の構成を有したものである。従って、以下には一つの商品載置棚１０について説明を行う。
【００１８】
棚板１２は、販売商品が載置される部分であり、図５に示すように、矩形状を成す棚枠１２ａの内部に載置板１２ｂを支持させることによって構成してある。支持部材１１は、図１に示すように、背面板２の両側前面に取り付けた支柱部材７から前方に突出するように配設したもので、図６〜図８に示すように、支持部本体１１１、補助側壁部材１１２及びスライダ１１３を備えている。図には明示していないが、２つの支持部材１１は、互いに対称となるように構成したものである。以下においては便宜上、２つの支持部材１１において互いに近接した方向を内側と称し、互いに離反した方向を外側と称して説明する場合がある。
【００１９】
支持部本体１１１は、支持部材１１のベースとなるもので、底壁部１１１ａ、当接壁部１１１ｂ及び２つの側壁部１１１ｃを一体に成形することによって構成してある。底壁部１１１ａは、前後方向に沿ってほぼ水平に延在する平板状部分である。底壁部１１１ａの先端部分には、切欠を形成することによって収納室４の内部に臨む係合面１１１ｄが設けてある。当接壁部１１１ｂは、底壁部１１１ａの基端から下方に向けてほぼ直角に屈曲した平板状部分である。側壁部１１１ｃは、底壁部１１１ａの両側縁部からそれぞれ上方に向けて互い平行となるように延在した平板状部分である。側壁部１１１ｃのそれぞれには、後端部分にそれぞれ上下２つの係止片１１１ｅが設けてある。係止片１１１ｅは、当接壁部１１１ｂよりも後方側に突出した後、突出端部が下方に向けて屈曲した形状を成している。これらの係止片１１１ｅは、支柱部材７に設けた上下に連なる２列の装着孔７ａの任意に挿入することが可能である。係止片１１１ｅを装着孔７ａに挿入した場合には、当接壁部１１１ｂが支柱部材７の前面７ｂに当接することになる。従って、係止片１１１ｅを装着孔７ａに挿入すれば、係止片１１１ｅの屈曲部と当接壁部１１１ｂとの協働により、支持部本体１１１を支柱部材７の任意の高さにほぼ水平の片持ち状態で支持させることが可能である。
【００２０】
補助側壁部材１１２は、支持部本体１１１の底壁部１１１ａとほぼ同じ長さを有し、底壁部１１１ａよりもわずかに大きな幅を有した平板状を成す取付板１１２ａと、取付板１１２ａの内側に位置する縁部から上方に向けて延在し、支持部本体１１１の側壁部１１１ｃを覆い隠すことのできる寸法を有した平板状を成す補助側板部１１２ｂとを有したものである。この補助側壁部材１１２は、図３に示すように、支持部本体１１１の内側に配置される側壁部１１１ｃに対して隙間を確保した位置に補助側板部１１２ｂが対向した状態で、取付板１１２ａを介して底壁部１１１ａの下面に取り付けてある。この補助側壁部材１１２の補助側板部１１２ｂには、図３、図６及び図７に示すように、内側となる面に第１傾斜軸１１２ｃ及び第１突起１１２ｄが設けてある。第１傾斜軸１１２ｃ及び第１突起１１２ｄは、それぞれ補助側板部１１２ｂにネジを螺合することによって構成したものである。すなわち、第１傾斜軸１１２ｃ及び第１突起１１２ｄは、それぞれが軸部１１２ｃ１，１１２ｄ１と軸部１１２ｃ１，１１２ｄ１よりも太径の頭部１１２ｃ２，１１２ｄ２とを有したもので、軸部１１２ｃ１，１１２ｄ１を介して補助側板部１１２ｂに取り付けてある。第１傾斜軸１１２ｃは、補助側板部１１２ｂの前端部分においてほぼ中間の高さ位置となる部位に設けてあり、第１突起１１２ｄは、補助側板部１１２ｂの後半部分において比較的上方となる部位に設けてある。
【００２１】
スライダ１１３は、支持部本体１１１の底壁部１１１ａ及び２つの側壁部１１１ｃによって囲まれる空間に支持部本体１１１の長手方向に沿って収容配置した長手部材である。より具体的に説明すると、スライダ１１３は、上下方向に沿って延在した平板状のスライド基部１１３ａと、スライド基部１１３ａの下縁から互いに外側となる向きに延在した補強部１１３ｂとを一体に成形したものである。このスライダ１１３は、支持部本体１１１の内側に位置する側壁部１１１ｃとの間に設けたスライド機構１１４により、支持部本体１１１の前端から出没する態様で支持部本体１１１に対して長手方向に沿って移動可能に支持してある。このスライダ１１３の前端部には、ストッパ部材１１５及び支持ブラケット１１６が設けてある。
【００２２】
ストッパ部材１１５は、支持部本体１１１に対してスライダ１１３が最も縮退した場合に上述した底壁部１１１ａの係合面１１１ｄに係合可能となるものである。ストッパ部材１１５を支持部本体１１１の係合面１１１ｄに係合させた場合には、支持部本体１１１に対するスライダ１１３の前方への移動が阻止された状態となる。一方、係合面１１１ｄに対するストッパ部材１１５の係合状態を解除した場合には、支持部本体１１１に対してスライダ１１３を前方に引き出すことが可能となる。
【００２３】
支持ブラケット１１６は、図３、図６及び図７に示すように、矩形の平板状を成すブラケット基部１１６ａと、ブラケット基部１１６ａの一側縁からほぼ直角となる向きに延在した棚板取付部１１６ｂとを有したものである。この支持ブラケット１１６は、棚板取付部１１６ｂが内側に向いた状態でブラケット基部１１６ａをスライド基部１１３ａの先端部に重ね合わせ、これらブラケット基部１１６ａ及びスライド基部１１３ａの間に水平方向に延在する支持軸１１７を挿通させることにより、支持軸１１７の軸芯を中心に相対的に回転可能である。
【００２４】
一方、支持ブラケット１１６の棚板取付部１１６ｂは、それぞれ棚枠１２ａの下面を介して棚板１２の前端部分に取り付けてある。支持ブラケット１１６に支持された棚板１２は、後端縁部を最も下方に位置させた場合、図２〜図４に示すように、支持部本体１１１に沿ってほぼ水平となる。一方、支持軸１１７を中心に後端縁部を上方に移動させれば、図９や図１３に示すように、後端縁部に対して前端縁部が低くなるように傾斜して棚板１２を配置することができる。また、支持部本体１１１に対してスライダ１１３を前方に引き出せば、図１、図９及び図１３に示すように、スライダ１１３とともに棚板１２を前方に引き出すことが可能となる。
【００２５】
上述した棚板１２と支持部材１１との間には、図２及び図３に示すように、第１傾斜支持部材１３及び第２傾斜支持部材１４を介在させるようにしている。第１傾斜支持部材１３及び第２傾斜支持部材１４は、図３、図６及び図７に示すように、それぞれが平板状を成す上板部１３ａ，１４ａと、上板部１３ａ，１４ａの両側縁部から下方に向けて延在した左右の側板部１３ｂ，１４ｂとを有したものである。左右の側板部１３ｂ，１４ｂは、上板部１３ａ，１４ａよりも大きな長手寸法を有しており、後端側の端面が上板部１３ａ，１４ａの端面と一致する一方、前端側の端面が上板部１３ａ，１４ａの先端面よりも突出している。第２傾斜支持部材１４は、その上板部１４ａ（以下、区別する場合に第２上板部１４ａという）が、第１傾斜支持部材１３の上板部１３ａ（以下、区別する場合に第１上板部１３ａという）よりもわずかに大きな幅に設定してあり、第１傾斜支持部材１３の側板部１３ｂ（以下、区別する場合に第１側板部１３ｂという）をそれぞれ第２傾斜支持部材１４の側板部１４ｂ（以下、区別する場合に第２側板部１４ｂという）に対向させた状態で第２側板部１４ｂの間に第１傾斜支持部材１３を収容することが可能である。
【００２６】
第１傾斜支持部材１３には、外側の第１側板部１３ｂに第２傾斜軸１３ｃ及び第２突起１３ｄが設けてあり、内側の第１側板部１３ｂに第１支持長孔１３ｅ及び第１ガイド溝１３ｆが設けてある。一方、第２傾斜支持部材１４には、外側の第２側板部１４ｂに第２支持長孔１４ｃ及び第２ガイド溝１４ｄが設けてあり、内側の第２側板部１４ｂには第２支持大長孔１４ｅ及び逃げ用切欠１４ｆが設けてある。
【００２７】
第２傾斜軸１３ｃ及び第２突起１３ｄは、それぞれ外側の第１側板部１３ｂにネジを螺合することによって構成したものである。すなわち、第２傾斜軸１３ｃ及び第２突起１３ｄは、それぞれが軸部１３ｃ１，１３ｄ１と軸部１３ｃ１，１３ｄ１よりも太径の頭部１３ｃ２，１３ｄ２とを有したもので、軸部１３ｃ１，１３ｄ１を介して第１側板部１３ｂに取り付けてある。第２傾斜軸１３ｃは、第１側板部１３ｂの前端部分においてほぼ中間の高さ位置となる部位に設けてあり、第２突起１３ｄは、第１側板部１３ｂの後半部分において比較的上方となる部位に設けてある。
【００２８】
第１支持長孔１３ｅは、補助側壁部材１１２に設けた第１傾斜軸１１２ｃの軸部１１２ｃ１が挿通する長孔であり、第１側板部１３ｂの前端部においてその長手方向に沿って延在している。この第１支持長孔１３ｅは、第１傾斜軸１１２ｃの軸部１１２ｃ１よりも大きく、かつその頭部１１２ｃ２よりも小さい一定の幅に形成してある。第１ガイド溝１３ｆは、補助側壁部材１１２に設けた第１突起１１２ｄの軸部１１２ｄ１が挿通するもので、第１側板部１３ｂの後方部に設けてある。この第１ガイド溝１３ｆは、第１突起１１２ｄの軸部１１２ｄ１よりも大きく、かつその頭部１１２ｄ２よりも小さい一定の幅に形成したもので、互いに連続した第１上傾斜溝部１３ｆ１及び第１下傾斜溝部１３ｆ２を有している。
【００２９】
第１上傾斜溝部１３ｆ１及び第１下傾斜溝部１３ｆ２は、それぞれ上方に向けて漸次前方に傾斜するもので、個々の上端に係止面１３ｆ３，１３ｆ４を有している。係止面１３ｆ３，１３ｆ４は、それぞれ第１突起１１２ｄの軸部１１２ｄ１に当接した場合に第１傾斜支持部材１３の下方への移動を阻止するものである。第１上傾斜溝部１３ｆ１の係止面１３ｆ３は、第１側板部１３ｂの上方部に設けてあり、第１下傾斜溝部１３ｆ２の係止面１３ｆ４は、第１側板部１３ｂの下方部に設けてある。図からも明らかなように、第１ガイド溝１３ｆは、第１突起１１２ｄが第１上傾斜溝部１３ｆ１の係止面１３ｆ３もしくは第１下傾斜溝部１３ｆ２の係止面１３ｆ４に当接した場合、第１傾斜軸１１２ｃが第１支持長孔１３ｅの前端部に位置するようにそれぞれの寸法が設定してある。また、図には明示していないが、第１突起１１２ｄが第１上傾斜溝部１３ｆ１の係止面１３ｆ３に当接している場合には、第１上板部１３ａが支持部本体１１１の底壁部１１１ａとほぼ平行となるようにそれぞれの寸法が設定してある。
【００３０】
第２支持長孔１４ｃは、第１側板部１３ｂに設けた第２傾斜軸１３ｃの軸部１３ｃ１が挿通する長孔であり、第２側板部１４ｂの前端部においてその長手方向に沿って延在している。この第２支持長孔１４ｃは、第２傾斜軸１３ｃの軸部１３ｃ１よりも大きく、かつその頭部１３ｃ２よりも小さい一定の幅に形成してある。第２ガイド溝１４ｄは、第１側板部１３ｂに設けた第２突起１３ｄの軸部１３ｄ１が挿通するもので、第２側板部１４ｂの後方部に設けてある。この第２ガイド溝１４ｄは、第２突起１３ｄの軸部１３ｄ１よりも大きく、かつその頭部１３ｄ２よりも小さい一定の幅に形成したもので、互いに連続した第２上傾斜溝部１４ｄ１及び第２下傾斜溝部１４ｄ２を有している。
【００３１】
第２上傾斜溝部１４ｄ１及び第２下傾斜溝部１４ｄ２は、それぞれ上方に向けて漸次前方に傾斜するもので、個々の上端に係止面１４ｄ３，１４ｄ４を有している。係止面１４ｄ３，１４ｄ４は、第２突起１３ｄの軸部１３ｄ１が当接した場合に第１傾斜支持部材１３の下方への移動を阻止するものである。第２上傾斜溝部１４ｄ１の係止面１４ｄ３は、第１側板部１３ｂの上方部に設けてあり、第２下傾斜溝部１４ｄ２の係止面１４ｄ４は、第１側板部１３ｂの下方部に設けてある。図からも明らかなように、第２ガイド溝１４ｄは、第２突起１３ｄが第２上傾斜溝部１４ｄ１の係止面１４ｄ３もしくは第２下傾斜溝部１４ｄ２の係止面１４ｄ４に当接した場合、第２傾斜軸１３ｃが第２支持長孔１４ｃの前端部に位置するようにそれぞれの寸法が設定してある。また、図には明示していないが、第２突起１３ｄが第２上傾斜溝部１４ｄ１の係止面１４ｄ３に当接している場合には、第２上板部１４ａが第１上板部１３ａとほぼ平行となるようにそれぞれの寸法が設定してある。
【００３２】
第２支持大長孔１４ｅは、補助側壁部材１１２の補助側板部１１２ｂに設けた第１傾斜軸１１２ｃの頭部１１２ｃ２が挿通する長孔であり、第２側板部１４ｂの前端部においてその長手方向に沿って延在している。この第２支持長孔１４ｃは、第１傾斜軸１１２ｃの頭部１１２ｃ２よりも大きい一定の幅に形成してある。逃げ用切欠１４ｆは、第１傾斜支持部材１３の第１ガイド溝１３ｆに対応する部位に形成した矩形状の開口であり、第１ガイド溝１３ｆの全開口域を外部に露出することのできる大きさに形成してある。
【００３３】
上記のように構成した商品載置棚１０では、第１突起１１２ｄが第１上傾斜溝部１３ｆ１の係止面１３ｆ３に当接し、かつ第２突起１３ｄが第２上傾斜溝部１４ｄ１の係止面１４ｄ３に当接している場合、第１上板部１３ａ及び第２上板部１４ａがそれぞれ支持部本体１１１の底壁部１１１ａに対してほぼ平行となった状態に維持される。従って、第２上板部１４ａの上面に両側下面が当接した棚板１２についても支持部本体１１１の底壁部１１１ａに対してほぼ平行となった状態、つまり図１に示すように、ほぼ水平となった状態に維持されることになる。
【００３４】
上述の状態から第２傾斜支持部材１４を第２支持長孔１４ｃ及び第２支持大長孔１４ｅに沿って前方に移動させると、第２ガイド溝１４ｄにおける第２上傾斜溝部１４ｄ１の上側の縁部が第２突起１３ｄに当接する結果、第１傾斜支持部材１３に対して第２傾斜支持部材１４が第２傾斜軸１３ｃを中心として回転し、図１０〜図１２に示すように、第２傾斜支持部材１４の後端部が上方に移動することになる。第２突起１３ｄが第２上傾斜溝部１４ｄ１の下端部に到達した時点で第２傾斜支持部材１４を後方に移動させると、第２突起１３ｄに対して第２ガイド溝１４ｄの第２下傾斜溝部１４ｄ２が配置され、その係止面１４ｄ４が第２突起１３ｄに当接する。
【００３５】
この状態においては、第１傾斜支持部材１３に対して第２傾斜支持部材１４の後端部が上方に突出した状態に維持されるため、第２上板部１４ａの上面に当接する棚板１２についても、前端縁部に対して後端縁部が上方に配置された状態、つまり傾斜した状態に維持されることになる。従って、棚板１２が水平に配置された場合に比べて商品載置棚１０の後方に載置された販売商品の視認性を高めることができる。また、商品載置棚１０の前方に載置された販売商品が取り出された場合には、後方に載置された販売商品が漸次前方に滑り出されることになり、販売商品の取り出し性が常に良好な状態となる。
【００３６】
一方、上述の状態から、今度は第１傾斜支持部材１３を第１支持長孔１３ｅに沿って前方に移動させると、第１ガイド溝１３ｆにおける第１上傾斜溝部１３ｆ１の上側の縁部が第１突起１１２ｄに当接する結果、支持部材１１に対して第１傾斜支持部材１３が第１傾斜軸１１２ｃを中心として回転し、図１３〜図１６に示すように、第１傾斜支持部材１３の後端部が上方に移動することになる。第１突起１１２ｄが第１上傾斜溝部１３ｆ１の下端部に到達した時点で第１傾斜支持部材１３を後方に移動させると、第１突起１１２ｄに対して第１ガイド溝１３ｆの第１下傾斜溝部１３ｆ２が配置され、その係止面１３ｆ４が第１突起１１２ｄに当接する。
【００３７】
この状態においては、支持部材１１に対して第１傾斜支持部材１３の後端部が上方に突出した状態に維持されるため、第２傾斜支持部材１４の後端部が第１傾斜支持部材１３の突出分だけさらに上方に突出した状態に維持される。この結果、第２上板部１４ａの上面に当接する棚板１２についても、第１傾斜支持部材１３の突出分だけさらに大きく傾斜した状態に維持することができるようになる。従って、第１傾斜支持部材１３のみが上方に突出した場合に比べて商品載置棚１０の後方に載置された販売商品の視認性をより高めることができるようになる。
【００３８】
しかも、上述のように、棚板１２と支持部材１１との間に第１傾斜支持部材１３及び第２傾斜支持部材１４を介在させるようにしているため、例えば棚板１２を水平状態から９°傾斜させる場合、第１傾斜支持部材１３の第１側板部１３ｂ及び第２傾斜支持部材１４の第２側板部１４ｂには、それぞれ４．５°分の長さを有した第１ガイド溝１３ｆ及び第２ガイド溝１４ｄを設ければ良い。従って、これらのガイド溝１３ｆ，１４ｄを形成する第１側板部１３ｂ及び第２側板部１４ｂの上下方向に沿った高さ寸法を抑えることが可能となり、棚板１２を水平状態となるように配置した際にも、支持部材１１からの下方への突出寸法が大きくなることはない。これにより、下段の商品載置棚１０に対してその収納容量に影響を与えることのないショーケースを提供することが可能となる。
【００３９】
なお、上述した実施の形態では、冷蔵用のショーケースを例示したが、販売商品を加温した状態で収納するショーケースであっても同様に適用することが可能である。また、左右２つの支持部材１１に棚板１２を支持させるようにした商品載置棚１０を例示しているが、支持部材の数は必ずしも実施の形態のものに限らない。さらに、支持部材１１と棚板１２との間に第１傾斜支持部材１３及び第２傾斜支持部材１４のみを介在させるようにしているが、同様の構成を有した傾斜支持部材をさらに介在させるようにすることも可能である。またさらに、支持部材１１としてスライダ１１３及びスライド機構１１４を備えたものを例示しているため、支持部材１１に対して棚板１２を前方に引き出すことにより販売商品を載置させる作業を容易に行うことが可能となる。しかしながら、本発明では、必ずしも棚板をスライドさせる必要はない。
【００４０】
また、上述した実施の形態では、支持部材１１として２つの側壁部１１１ｃを有した支持部本体１１１を備えたものを適用しているため、支持部材１１自身の上下方向に沿った寸法を大きく確保することなく所望の強度を確保することができるようになり、下段の商品収納棚の収納容量をさらに増大させることが可能であるが、必ずしも２つの側壁部を有した支持部材を適用する必要はない。
【００４１】
さらに、上述した実施の形態では、支持部材１１に対して棚板１２を９°傾斜させることのできるものを例示しているが、傾斜角度は必ずしも９°である必要はなく、必要に応じて任意に設定すれば良い。この場合、第１傾斜支持部材１３による傾斜角度と第２傾斜支持部材１４による傾斜角度とは、必ずしも一致している必要はない。またさらに、支持部材１１と第１傾斜支持部材１３との間においては支持部材１１に第１突起１１２ｄを設けるとともに、第１傾斜支持部材１３に第１ガイド溝１３ｆを設けるようにしているが、第１突起と第１ガイド溝とは逆に設けるようにしても構わない。同様に、第１傾斜支持部材１３と第２傾斜支持部材１４との間においては第１傾斜支持部材１３に第２突起１３ｄを設けるとともに、第２傾斜支持部材１４に第２ガイド溝１４ｄを設けるようにしているが、第２突起と第２ガイド溝とは逆に設けるようにしても構わない。なお、実施の形態においては、先に第２傾斜支持部材１４を動作させた後、第１傾斜支持部材１３を動作させるようにしたが、第２傾斜支持部材１４及び第１傾斜支持部材１３の動作手順は、逆であっても良い。
【００４２】
またさらに、上述した実施の形態では、ガイド溝１３ｆ，１４ｄを設けた傾斜支持部材１３，１４を傾斜軸１１２ｃ，１３ｃに対して前後方向に移動させることにより、突起１１２ｄ，１３ｄに対して係止面１３ｆ３，１３ｆ４、１４ｄ３，１４ｄ４の位置を変更するようにしているが、本発明ではこれに限定されず、例えば突起を移動可能に配設し、突起を移動させることによって係止面の位置を変更するように構成しても構わない。
【符号の説明】
【００４３】
１      ケース本体
１０      商品載置棚
１１      支持部材
１２      棚板
１３      第１傾斜支持部材
１３ｂ      第１側板部
１３ｃ      第２傾斜軸
１３ｄ      第２突起
１３ｆ      第１ガイド溝
１３ｆ３，１３ｆ４      係止面
１４      第２傾斜支持部材
１４ｂ      第２側板部
１４ｄ      第２ガイド溝
１４ｄ３，１４ｄ４      係止面
１１１      支持部本体
１１１ａ      底壁部
１１１ｃ      側壁部
１１１ｅ      係止片
１１２      補助側壁部材
１１２ｃ      第１傾斜軸
１１２ｄ      第１突起
１１３      スライダ
１１５      ストッパ部材
１１７      支持軸
【図１】
2018093988.tif 000003
【図２】
2018093988.tif 000004
【図３】
2018093988.tif 000005
【図４】
2018093988.tif 000006
【図５】
2018093988.tif 000007
【図６】
2018093988.tif 000008
【図７】
2018093988.tif 000009
【図８】
2018093988.tif 000010
【図９】
2018093988.tif 000011
【図１０】
2018093988.tif 000012
【図１１】
2018093988.tif 000013
【図１２】
2018093988.tif 000014
【図１３】
2018093988.tif 000015
【図１４】
2018093988.tif 000016
【図１５】
2018093988.tif 000017
【図１６】
2018093988.tif 000018